(57)【要約】【課題】番組の情報を含む放送波を受信して他の装置へ再送信する構成において、保守性を向上させる。【解決手段】放送再送信装置は、高度広帯域衛星デジタル放送に用いられる放送再送信装置であって、放送波に含まれるＴＬＶパケットのデータを格納したＩＰパケットを生成して送信するＩＰ変換部と、前記ＴＬＶパケットのデータが分割されて格納された固定長の複数の分割パケットを含むＡＳＩ方式の信号を外部へ出力するためのＡＳＩ出力コネクタとを備える。【選択図】図６
2019087958.tif 000002
【特許請求の範囲】
【請求項１】
高度広帯域衛星デジタル放送に用いられる放送再送信装置であって、
放送波に含まれるＴＬＶ（Ｔｙｐｅ  Ｌｅｎｇｔｈ  Ｖａｌｕｅ）パケットのデータを格納したＩＰパケットを生成して送信するＩＰ変換部と、
前記ＴＬＶパケットのデータが分割されて格納された固定長の複数の分割パケットを含むＡＳＩ（Ａｓｙｎｃｈｒｏｎｏｕｓ  Ｓｅｒｉａｌ  Ｉｎｔｅｒｆａｃｅ）方式の信号を外部へ出力するためのＡＳＩ出力コネクタとを備える、放送再送信装置。
【請求項２】
前記ＩＰ変換部は、前記分割パケットを格納したＩＰパケットを生成して送信する、請求項１に記載の放送再送信装置。
【請求項３】
前記放送再送信装置は、さらに、
前記分割パケットを含むＡＳＩ方式の信号を外部から入力するためのＡＳＩ入力コネクタを備える、請求項１または請求項２に記載の放送再送信装置。
【請求項４】
高度広帯域衛星デジタル放送に用いられる放送再送信装置における放送再送信方法であって、
放送波に含まれるＴＬＶパケットのデータを分割して格納した固定長の複数の分割パケットを生成するステップと、
生成した各前記分割パケットを含むＡＳＩ方式の信号を外部へ出力するステップと、
前記ＴＬＶパケットのデータを格納したＩＰパケットを生成して送信するステップとを含む、放送再送信方法。
【請求項５】
高度広帯域衛星デジタル放送に用いられ、放送波に含まれるＴＬＶパケットのデータを格納したＩＰパケットを生成して送信する放送再送信装置から、前記ＴＬＶパケットのデータが分割されて格納された固定長の複数の分割パケットを含むＡＳＩ方式の信号を外部へ出力するステップと、
出力した前記ＡＳＩ方式の信号から取得した１または複数の前記分割パケットを含むＡＳＩ方式の信号を生成して他の装置へ入力するステップと、
入力した前記ＡＳＩ方式の信号に含まれる前記分割パケットを格納したＩＰパケットを生成して前記他の装置から送信するステップとを含む、モニタ方法。
【発明の詳細な説明】
【技術分野】
【０００１】
本発明は、放送再送信装置、放送再送信方法およびモニタ方法に関する。
【背景技術】
【０００２】
従来、ＭＭＴＰ（ＭＰＥＧ  Ｍｅｄｉａ  Ｔｒａｎｓｐｏｒｔ  Ｐｒｏｔｏｃｏｌ）パケットを用いてコンテンツを伝送する技術が開発されている。
【０００３】
たとえば、非特許文献１（ＡＲＩＢ  ＳＴＤ−Ｂ３２  ３．４版、“デジタル放送における映像符号化、音声符号化及び多重化方式”、一般社団法人  電波産業会、２０１５年９月３０日）には、ＭＭＴ方式を用いる放送システムが開示されている。
【０００４】
この放送システムでは、音声情報および映像情報等の番組の情報を含むＭＭＴパケットは、ＩＰパケットのペイロードに格納される。ＩＰパケットは、ＴＬＶ（Ｔｙｐｅ  Ｌｅｎｇｔｈ  Ｖａｌｕｅ）パケットのペイロードに格納される。
【０００５】
また、特許文献１（特開２０１３−１７５９４９号公報）には、以下のような技術が開示されている。すなわち、ＴＳ（Ｔｒａｎｓｐｏｒｔ  Ｓｔｒｅａｍ）パケットを割り当てる複数のパケット配置用スロットとヘッダ情報用の１つのスロットからなるフレームにて可変長パケットを多重伝送する送信装置であって、伝送するＴＳパケットと同サイズのパケット長の第３のパケットを生成し、伝送する可変長パケットを分割して各分割された当該可変長パケットのデータを前記第３のパケットに順次割り当てる可変長パケット分割部と、予め定められた複数のパケット配置用スロットを有するフレームにて前記ＴＳパケット及び前記第３のパケットを伝送するために、前記ＴＳパケット及び前記第３のパケットに関するフレーム中の相対的な配列位置を示すための配列位置情報と前記可変長パケットの先頭位置を示すための先頭位置情報とを含む多重フレームヘッダ情報を生成する多重フレームヘッダ生成部と、１つのフレームに１つの前記多重フレームヘッダ情報のスロットを配置し、前記ＴＳパケット及び前記第３のパケットを当該１つのフレームのパケット配置用スロットごとに配列して多重化し、複数ＴＳ多重フレームとして構成する多重化部と、前記複数ＴＳ多重フレームの多重化信号を外部に送信する送信部とを備える。
【先行技術文献】
【特許文献】
【０００６】
【特許文献１】特開２０１３−１７５９４９号公報
【非特許文献】
【０００７】
【非特許文献１】ＡＲＩＢ  ＳＴＤ−Ｂ３２  ３．４版、“デジタル放送における映像符号化、音声符号化及び多重化方式”、一般社団法人  電波産業会、２０１５年９月３０日
【非特許文献２】Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏｃｏｍｍｕｎｉｃａｔｉｏｎｓ  Ｓｅｃｔｏｒ、”Ｒｅｃｏｍｍｅｎｄａｔｉｏｎ  ＩＴＵ−Ｒ  ＢＴ．１８６９”、２０１０年３月、［ｏｎｌｉｎｅ］、［平成２９年１０月１２日検索］、インターネット〈ＵＲＬ：ｈｔｔｐ：／／ｗｗｗ．ｉｔｕ．ｉｎｔ／ｄｍｓ＿ｐｕｂｒｅｃ／ｉｔｕ−ｒ／ｒｅｃ／ｂｔ／Ｒ−ＲＥＣ−ＢＴ．１８６９−０−２０１００３−Ｉ！！ＰＤＦ−Ｅ．ｐｄｆ〉
【非特許文献３】”ＪＣＴＥＡ  ＳＴＤ−００２−６．１  デジタル有線テレビジョン放送  多重化装置”、一般社団法人  日本ＣＡＴＶ技術協会、２０１７年２月１３日
【発明の概要】
【発明が解決しようとする課題】
【０００８】
たとえば、高度広帯域衛星デジタル放送を、ＩＰ（Ｉｎｔｅｒｎｅｔ  Ｐｒｏｔｏｃｏｌ）ＴＶ伝送網を介して加入者宅へ送信するＩＰ再送信サービスを行う場合、ＭＭＴパケットを含む放送波を受信し、受信したＭＭＴパケットをＩＰパケットに格納して加入者宅における宅内装置へ再送信する構成が考えられる。
【０００９】
このような装置の保守、たとえば再送信したデータの保存および解析等を行う場合、当該装置が送信したＩＰパケットを汎用のサーバ等で受信して保存し、ＩＰパケットに含まれるデータを再生して解析等を行う方法が考えられる。
【００１０】
しかしながら、このような処理にはハードディスクからのデータの読み出し等の各種オーバヘッドが含まれ、たとえば読み出し等に要する時間が一定しない場合があり、このような場合、放送再送信装置におけるパケットの処理等を正確に再現することが困難となる。
【００１１】
この発明は、上述の課題を解決するためになされたもので、その目的は、番組の情報を含む放送波を受信して他の装置へ再送信する構成において、保守性を向上させることが可能な放送再送信装置、放送再送信方法およびモニタ方法を提供することである。
【課題を解決するための手段】
【００１２】
（１）上記課題を解決するために、この発明のある局面に係わる放送再送信装置は、高度広帯域衛星デジタル放送に用いられる放送再送信装置であって、放送波に含まれるＴＬＶパケットのデータを格納したＩＰパケットを生成して送信するＩＰ変換部と、前記ＴＬＶパケットのデータが分割されて格納された固定長の複数の分割パケットを含むＡＳＩ方式の信号を外部へ出力するためのＡＳＩ出力コネクタとを備える。
【００１３】
（４）上記課題を解決するために、この発明のある局面に係わる放送再送信方法は、高度広帯域衛星デジタル放送に用いられる放送再送信装置における放送再送信方法であって、放送波に含まれるＴＬＶパケットのデータを分割して格納した固定長の複数の分割パケットを生成するステップと、生成した各前記分割パケットを含むＡＳＩ方式の信号を外部へ出力するステップと、前記ＴＬＶパケットのデータを格納したＩＰパケットを生成して送信するステップとを含む。
【００１４】
（５）上記課題を解決するために、この発明のある局面に係わるモニタ方法は、高度広帯域衛星デジタル放送に用いられ、放送波に含まれるＴＬＶパケットのデータを格納したＩＰパケットを生成して送信する放送再送信装置から、前記ＴＬＶパケットのデータが分割されて格納された固定長の複数の分割パケットを含むＡＳＩ方式の信号を外部へ出力するステップと、出力した前記ＡＳＩ方式の信号から取得した１または複数の前記分割パケットを含むＡＳＩ方式の信号を生成して他の装置へ入力するステップと、入力した前記ＡＳＩ方式の信号に含まれる前記分割パケットを格納したＩＰパケットを生成して前記他の装置から送信するステップとを含む。
【００１５】
本発明は、このような特徴的な処理部を備える放送再送信装置として実現できるだけでなく、かかる特徴的な処理のステップをコンピュータに実行させるためのプログラムとして実現することができる。また、本発明は、放送再送信装置の一部または全部を実現する半導体集積回路として実現したり、放送再送信装置を含むシステムとして実現したりすることができる。
【発明の効果】
【００１６】
本発明によれば、番組の情報を含む放送波を受信して他の装置へ再送信する構成において、保守性を向上させることができる。
【図面の簡単な説明】
【００１７】
【図１】図１は、本発明の実施の形態に係る放送再送信システムの構成を示す図である。
【図２】図２は、本発明の実施の形態に係る放送再送信システムにおいて、放送波によって伝送されるデータのプロトコルスタックの一例を示す図である。
【図３】図３は、本発明の実施の形態に係る放送再送信システムにおいて、放送波によって伝送されるＴＬＶパケットの一例を示す図である。
【図４】図４は、放送波によって伝送されるデータのプロトコルスタックの他の例を示す図である。
【図５】図５は、放送波によって伝送されるＴＳパケットの一例を示す図である。
【図６】図６は、本発明の実施の形態に係る放送再送信装置の構成を示す図である。
【図７】図７は、本発明の実施の形態に係る放送再送信装置において行われるＴＬＶパケットの分割方法の一例を示す図である。
【図８】図８は、図７に示すＴＳパケットのフォーマットの一例を示す図である。
【図９】図９は、本発明の実施の形態に係る放送再送信装置の詳細な構成を示す図である。
【図１０】図１０は、本発明の実施の形態に係る放送再送信システムにおける放送再送信装置が放送波を再送信する際の動作手順を定めたフローチャートである。
【図１１】図１１は、本発明の実施の形態に係る放送再送信システムにおけるモニタ処理の動作手順を定めたフローチャートである。
【発明を実施するための形態】
【００１８】
最初に、本発明の実施形態の内容を列記して説明する。
【００１９】
（１）本発明の実施の形態に係る放送再送信装置は、高度広帯域衛星デジタル放送に用いられる放送再送信装置であって、放送波に含まれるＴＬＶパケットのデータを格納したＩＰパケットを生成して送信するＩＰ変換部と、前記ＴＬＶパケットのデータが分割されて格納された固定長の複数の分割パケットを含むＡＳＩ方式の信号を外部へ出力するためのＡＳＩ出力コネクタとを備える。
【００２０】
このように、放送波に含まれる可変長のＴＬＶパケットのデータを格納したＩＰパケットを生成して送信する装置において、ＴＬＶパケットのデータを分割した固定長の分割パケットを含むＡＳＩ方式の信号を外部へ出力するためのＡＳＩ出力コネクタを設ける構成により、放送再送信装置の保守、たとえば再送信したデータの保存および解析等において、広く提供されている装置、たとえば、ＡＳＩ方式の信号のキャプチャ装置に適応した形式のデータを外部へ出力することができる。これにより、低コストかつ容易に測定系を構築することができる。そして、放送再送信装置がネットワークへ送信するＩＰパケットではなく、ＴＬＶパケットのデータが分割されて格納された固定長の分割パケットを放送受信装置から出力させて記録および再生等を行うことにより、ＩＰパケットへの分割パケットの格納による影響、および当該ＩＰパケットを受信する汎用のサーバ等における各種オーバヘッドの影響を受けることなく、また、ネットワークにおけるＩＰパケットの伝送時間の揺らぎおよび欠損等の影響を受けることなく、容易にかつ高い時間精度で記録および再生を行うことができる。これにより、たとえば、異常現象の記録、および異常現象の再生を正確に行うことができるため、異常個所の特定を容易に行うことができる。したがって、番組の情報を含む放送波を受信して他の装置へ再送信する構成において、保守性を向上させることができる。
【００２１】
（２）好ましくは、前記ＩＰ変換部は、前記分割パケットを格納したＩＰパケットを生成して送信する。
【００２２】
このように、ＩＰ変換部に与えられる分割パケットと同じ分割パケットを含むＡＳＩ方式の信号がＡＳＩ出力コネクタから外部へ出力される構成により、ＴＬＶパケットから分割パケットを生成する分割部を別途設ける必要がなくなり、また、放送再送信装置においてＩＰパケットに格納される分割パケットを、記録したり再生したりすることが可能となるため、保守性をより向上させることができる。
【００２３】
（３）好ましくは、前記放送再送信装置は、さらに、前記分割パケットを含むＡＳＩ方式の信号を外部から入力するためのＡＳＩ入力コネクタを備える。
【００２４】
このような構成により、たとえば、放送再送信装置がネットワークへ送信するＩＰパケットと同じ内容のＩＰパケットを、放送受信装置によるＩＰパケットの送信先のネットワークとは異なるネットワークへ送信することができるため、放送再送信装置の保守および不具合解析等の作業環境を容易に構築することができる。たとえば、放送契約を結んだ加入者宅に放送サービスを提供するための専用のネットワークに記録装置等の保守装置を接続することなく、比較的各種制限の緩和された他のネットワークを介して放送再送信装置の保守および不具合解析等の作業を行うことができる。
【００２５】
（４）本発明の実施の形態に係る放送再送信方法は、高度広帯域衛星デジタル放送に用いられる放送再送信装置における放送再送信方法であって、放送波に含まれるＴＬＶパケットのデータを分割して格納した固定長の複数の分割パケットを生成するステップと、生成した各前記分割パケットを含むＡＳＩ方式の信号を外部へ出力するステップと、前記ＴＬＶパケットのデータを格納したＩＰパケットを生成して送信するステップとを含む。
【００２６】
このように、放送波に含まれる可変長のＴＬＶパケットのデータを格納したＩＰパケットを生成して送信する装置において、ＴＬＶパケットのデータを分割した固定長の分割パケットを含むＡＳＩ方式の信号を外部へ出力することにより、放送再送信装置の保守、たとえば再送信したデータの保存および解析等において、広く提供されている装置、たとえば、ＡＳＩ方式の信号のキャプチャ装置に適応した形式のデータを外部へ出力することができる。これにより、低コストかつ容易に測定系を構築することができる。そして、放送再送信装置がネットワークへ送信するＩＰパケットではなく、ＴＬＶパケットのデータが分割されて格納された固定長の分割パケットを放送受信装置から出力させて記録および再生等を行うことにより、ＩＰパケットへの分割パケットの格納による影響、および当該ＩＰパケットを受信する汎用のサーバ等における各種オーバヘッドの影響を受けることなく、また、ネットワークにおけるＩＰパケットの伝送時間の揺らぎおよび欠損等の影響を受けることなく、容易にかつ高い時間精度で記録および再生を行うことができる。これにより、たとえば、異常現象の記録、および異常現象の再生を正確に行うことができるため、異常個所の特定を容易に行うことができる。したがって、番組の情報を含む放送波を受信して他の装置へ再送信する構成において、保守性を向上させることができる。
【００２７】
（５）本発明の実施の形態に係るモニタ方法は、高度広帯域衛星デジタル放送に用いられ、放送波に含まれるＴＬＶパケットのデータを格納したＩＰパケットを生成して送信する放送再送信装置から、前記ＴＬＶパケットのデータが分割されて格納された固定長の複数の分割パケットを含むＡＳＩ方式の信号を外部へ出力するステップと、出力した前記ＡＳＩ方式の信号から取得した１または複数の前記分割パケットを含むＡＳＩ方式の信号を生成して他の装置へ入力するステップと、入力した前記ＡＳＩ方式の信号に含まれる前記分割パケットを格納したＩＰパケットを生成して前記他の装置から送信するステップとを含む。
【００２８】
このように、放送波に含まれる可変長のＴＬＶパケットのデータを格納したＩＰパケットを生成して送信する装置において、ＴＬＶパケットのデータを分割した固定長の分割パケットを含むＡＳＩ方式の信号を外部へ出力することにより、放送再送信装置の保守、たとえば再送信したデータの保存および解析等において、広く提供されている装置、たとえば、ＡＳＩ方式の信号のキャプチャ装置に適応した形式のデータを外部へ出力することができる。これにより、低コストかつ容易に測定系を構築することができる。そして、放送再送信装置がネットワークへ送信するＩＰパケットではなく、ＴＬＶパケットのデータが分割されて格納された固定長の分割パケットを放送受信装置から出力させて記録および再生等を行うことにより、ＩＰパケットへの分割パケットの格納による影響、および当該ＩＰパケットを受信する汎用のサーバ等における各種オーバヘッドの影響を受けることなく、また、ネットワークにおけるＩＰパケットの伝送時間の揺らぎおよび欠損等の影響を受けることなく、容易にかつ高い時間精度で記録および再生を行うことができる。これにより、たとえば、異常現象の記録、および異常現象の再生を正確に行うことができるため、異常個所の特定を容易に行うことができる。また、たとえば、放送再送信装置がネットワークへ送信するＩＰパケットと同じ内容のＩＰパケットを、放送受信装置によるＩＰパケットの送信先のネットワークとは異なるネットワークへ送信することができるため、放送再送信装置の保守および不具合解析等の作業環境を容易に構築することができる。たとえば、放送契約を結んだ加入者宅に放送サービスを提供するための専用のネットワークに記録装置等の保守装置を接続することなく、比較的各種制限の緩和された他のネットワークを介して放送再送信装置の保守および不具合解析等の作業を行うことができる。したがって、番組の情報を含む放送波を受信して他の装置へ再送信する構成において、保守性を向上させることができる。
【００２９】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００３０】
図１は、本発明の実施の形態に係る放送再送信システムの構成を示す図である。
【００３１】
図１を参照して、放送再送信システム３０１は、放送再送信装置１０１と、複数のＩＰ放送受信装置２０２とを備える。
【００３２】
なお、放送再送信システム３０１は、複数のＩＰ放送受信装置２０２を備える構成に限らず、１つのＩＰ放送受信装置２０２を備える構成であってもよい。
【００３３】
放送再送信装置１０１およびルータ１２１は、たとえば、ＩＰＴＶセンター２５１に設けられる。
【００３４】
ＯＮＵ（Ｏｐｔｉｃａｌ  Ｎｅｔｗｏｒｋ  Ｕｎｉｔ）１２２、ＳＴＢ１３１、ＴＶ受像機１３２およびＴＶモニタ１３３は、加入者宅に設けられる。ＳＴＢ１３１およびＴＶ受像機１３２は、ＩＰ放送受信装置２０２を含む。
【００３５】
放送再送信装置１０１には、たとえば、外部アンテナ８１が接続されている。放送再送信装置１０１は、たとえばストリームを含む放送波を受信する。
【００３６】
ストリームは、番組の情報等を含む。番組の情報は、たとえば、音声情報、映像情報、ＥＰＧ（Ｅｌｅｃｔｒｏｎｉｃ  Ｐｒｏｇｒａｍ  Ｇｕｉｄｅ）情報、ＳＩ情報（Ｓｅｒｖｉｃｅ  Ｉｎｆｏｒｍａｔｉｏｎ）および字幕情報等を含む。
【００３７】
音声情報および映像情報は、たとえば、所定の方式に従って、圧縮および暗号化が施されている。
【００３８】
放送再送信装置１０１は、たとえば、放送局からのストリームを中継するための、図示しない高度広帯域衛星デジタル放送用の放送衛星から送信された放送波を外部アンテナ８１経由で受信する。
【００３９】
なお、放送再送信装置１０１は、たとえば、電波塔から送信された放送波を外部アンテナ８１経由で受信してもよい。
【００４０】
図２は、本発明の実施の形態に係る放送再送信システムにおいて、放送波によって伝送されるデータのプロトコルスタックの一例を示す図である。図２では、ＴＬＶパケットを用いるプロトコルスタックが示されている。
【００４１】
図２を参照して、ＴＬＶパケットは、たとえば、２１６０ｐまたは４３２０ｐ等の規格に従う、４Ｋ  ＵＨＤＴＶ（Ｕｌｔｒａ  Ｈｉｇｈ  Ｄｅｆｉｎｉｔｉｏｎ  Ｔｅｌｅｖｉｓｉｏｎ）または８Ｋ  ＵＨＤＴＶ等の送信に用いられることが多い。
【００４２】
図２に示す例では、放送波は、たとえば、ＴＭＣＣ情報、ＡＣ情報およびＴＬＶパケットを含む。
【００４３】
図３は、本発明の実施の形態に係る放送再送信システムにおいて、放送波によって伝送されるＴＬＶパケットの一例を示す図である。図３には、データ種別を示す情報が格納されたヘッダを有するパケットの一例である、非特許文献２（Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏｃｏｍｍｕｎｉｃａｔｉｏｎｓ  Ｓｅｃｔｏｒ、”Ｒｅｃｏｍｍｅｎｄａｔｉｏｎ  ＩＴＵ−Ｒ  ＢＴ．１８６９”、２０１０年３月、［ｏｎｌｉｎｅ］、［平成２９年１０月１２日検索］、インターネット〈ＵＲＬ：ｈｔｔｐ：／／ｗｗｗ．ｉｔｕ．ｉｎｔ／ｄｍｓ＿ｐｕｂｒｅｃ／ｉｔｕ−ｒ／ｒｅｃ／ｂｔ／Ｒ−ＲＥＣ−ＢＴ．１８６９−０−２０１００３−Ｉ！！ＰＤＦ−Ｅ．ｐｄｆ〉）の規格に従うＴＬＶパケットのフォーマットが示されている。
【００４４】
ＴＬＶパケットは、ＴＬＶヘッダと、ＴＬＶペイロードとを含む。ＴＬＶヘッダは、「０１」の値が格納された「スタートコード」のフィールド、「将来予約」のフィールド、「パケットタイプ」のフィールド、および「長さ」のフィールドを含み、これらのフィールドの長さは、それぞれ２ビット、６ビット、８ビットおよび１６ビットである。
【００４５】
「パケットタイプ」のフィールドには、「０ｘ０１」、「０ｘ０２」、「０ｘ０３」または「０ｘＦＦ」等の値が格納される。ここで、「０ｘ」で始まる数字は、「０ｘ」以降の数字が１６進数で表されていることを意味する。
【００４６】
「パケットタイプ」のフィールドにおいて「０ｘ０１」が格納される場合、ＴＬＶパケット６１は、ＴＬＶペイロードにおいて、「長さ」のフィールドに格納された値の総データ長となるＩＰｖ４パケットを含む。
【００４７】
また、「パケットタイプ」のフィールドにおいて「０ｘ０２」が格納される場合、ＴＬＶパケット６２は、ＴＬＶペイロードにおいて、「長さ」のフィールドに格納された値の総データ長となるＩＰｖ６パケットを含む。
【００４８】
また、「パケットタイプ」のフィールドにおいて「０ｘ０３」が格納される場合、ＴＬＶパケット６３は、ＴＬＶペイロードにおいて、「長さ」のフィールドに格納された値の総データ長となるＩＰパケットを含む。圧縮ＩＰパケットは、たとえばＩＰヘッダが圧縮されたＩＰパケットである。
【００４９】
また、「パケットタイプ」のフィールドにおいて「０ｘＦＦ」が格納される場合、ＴＬＶパケット６４は、ＴＬＶペイロードにおいて、「長さ」のフィールドに格納された値の総データ長となるヌルデータを含む。以下、ＴＬＶペイロードにおいてヌルデータを含むＴＬＶパケットを、ＴＬＶヌルパケットとも称する。
【００５０】
ここで、放送波では、当該放送波の送出装置に合わせて固定ビットレートにするために、このようなビットレート調整用のＴＬＶヌルパケットが挿入されている。このため、放送波においてＴＬＶパケットによって伝送されるデータ量は、番組の情報のデータ量に比べて増加している。
【００５１】
再び図２を参照して、たとえば、時刻同期用のＮＴＰ（Ｎｅｔｗｏｒｋ  Ｔｉｍｅ  Ｐｒｏｔｏｃｏｌ）データ、ＩＰ−ＳＩデータ、時刻情報、ＭＭＴパケット、またはデータ伝送方式は、ＵＤＰ（Ｕｓｅｒ  Ｄａｔａｇｒａｍ  Ｐｒｏｔｏｃｏｌ）／ＩＰパケットに格納される。ＭＭＴパケットには、映像情報、音声情報、ＭＭＴ−ＳＩデータ、および他の情報が格納される。
【００５２】
ＴＬＶパケット６１〜６３は、このようなＵＤＰ／ＩＰパケットを格納する。
【００５３】
図４は、放送波によって伝送されるデータのプロトコルスタックの他の例を示す図である。図４では、ＴＳ（Ｔｒａｎｓｐｏｒｔ  Ｓｔｒｅａｍ）パケットを用いるプロトコルスタックが示されている。
【００５４】
図４を参照して、ＴＳパケットは、たとえば、１０８０ｉ、７２０ｐまたは４８０ｐ等の規格に従う、ＨＤＴＶまたはＳＤＴＶ（Ｓｔａｎｄａｒｄ  Ｄｅｆｉｎｉｔｉｏｎ  Ｔｅｌｅｖｉｓｉｏｎ）等の送信に用いられることが多い。なお、ＴＳパケットは、４Ｋ  ＵＨＤＴＶまたは８Ｋ  ＵＨＤＴＶ等の送信に用いられることもある。
【００５５】
図４に示す例では、放送波は、たとえば、ＴＭＣＣ情報、ＡＣ情報およびＴＳパケットを含む。
【００５６】
図５は、放送波によって伝送されるＴＳパケットの一例を示す図である。図５には、ＴＳパケットのフォーマットが示されている。
【００５７】
ＴＳパケットは、ＴＳヘッダと、ＴＳペイロードとを含む。ＴＳヘッダは、「０ｘ４７」の値が格納された「同期バイト」のフィールドおよび「ＰＩＤ（Ｐａｃｋｅｔ  ＩＤ）等」を格納するためのフィールドを含み、これらのフィールドの長さは、それぞれたとえば１オクテットおよび３オクテットである。ＴＳペイロードは、たとえば、ＰＥＳ（Ｐａｃｋｅｔｉｚｅｄ  Ｅｌｅｍｅｎｔａｒｙ  Ｓｔｒｅａｍ）の全部もしくは一部、またはセクションの全部もしくは一部を格納するための「ペイロード」のフィールドを含む。このフィールドの長さは、たとえば１８４オクテットである。
【００５８】
再び図４を参照して、ＰＣＲ（Ｐｒｏｇｒａｍ  Ｃｌｏｃｋ  Ｒｅｆｅｒｅｎｃｅ）データは、たとえばＴＳパケットに格納される。また、たとえば、映像情報、音声情報、字幕情報およびタイムラインは、ＰＥＳパケットに格納される。
【００５９】
また、たとえば、ＰＳＩ−ＳＩデータ、およびＡＩＴ（Ａｐｐｌｉｃａｔｉｏｎ  Ｉｎｆｏｒｍａｔｉｏｎ  Ｔａｂｌｅ）の一部はセクションに含まれる。また、データカルーセル方式で伝送される、ＡＩＴの残り、アプリＨＴＭＬＳおよびコンテンツダウンロードは、セクションに含まれる。
【００６０】
再び図１を参照して、放送再送信装置１０１は、放送波から番組の情報を取得し、取得した番組の情報をＩＰパケットに格納する。そして、放送再送信装置１０１は、番組の情報を含むＩＰパケット（以下、配信用ＩＰパケットとも称する。）を各加入者宅へ送信する。
【００６１】
ここでは、放送再送信装置１０１は、たとえば、配信用ＩＰパケットの宛先を、複数の加入者宅へ到達するようなＩＰマルチキャストアドレスに設定してルータ１２１へ送信する。
【００６２】
ルータ１２１は、たとえば、ＩＰマルチキャストルータであり、放送再送信装置１０１から配信用ＩＰパケットを受信すると、受信した配信用ＩＰパケットを、通信回線の一例であるＩＰＴＶ伝送網（ＣＤＮ：Ｃｏｎｔｅｎｔ  Ｄｅｌｉｖｅｒｙ  Ｎｅｔｗｏｒｋ）４５１へ送信する。ＩＰＴＶ伝送網４５１では、たとえば、ＩＰプロトコルに従って、配信用ＩＰパケットが伝送される。なお、通信回線は、インターネット等の他の通信回線であってもよい。
【００６３】
また、ＩＰＴＶセンター２５１には、ルータ１２１の代わりにＯＬＴ（Ｏｐｔｉｃａｌ  Ｌｉｎｅ  Ｔｅｒｍｉｎａｌ）が設けられてもよい。
【００６４】
ＯＮＵ１２２は、たとえば、ＦＴＴＨ（Ｆｉｂｅｒ  Ｔｏ  Ｔｈｅ  Ｈｏｍｅ）の通信サービスにより放送再送信装置１０１から伝送される配信用ＩＰパケットを受信する。
【００６５】
より詳細には、ＯＮＵ１２２は、たとえば、ＧＰＯＮ（Ｇｉｇａｂｉｔ  Ｐａｓｓｉｖｅ  Ｏｐｔｉｃａｌ  Ｎｅｔｗｏｒｋ）およびＧＥ−ＰＯＮ（Ｇｉｇａｂｉｔ  Ｅｔｈｅｒｎｅｔ（登録商標）−ＰＯＮ）等における宅側装置である。
【００６６】
ＯＮＵ１２２は、光通信回線経由でＩＰＴＶ伝送網４５１から配信用ＩＰパケットを受信すると、受信した配信用ＩＰパケットをＳＴＢ１３１およびＴＶ受像機１３２へ送信する。
【００６７】
ＳＴＢ１３１におけるＩＰ放送受信装置２０２は、ＯＮＵ１２２から配信用ＩＰパケットを受信すると、受信した配信用ＩＰパケットから番組の情報を取得し、取得した番組の情報に基づいて音声情報および映像情報をデコードし、デコード後の音声情報および映像情報をＴＶモニタ１３３へ送信する。
【００６８】
ＴＶモニタ１３３は、ＳＴＢ１３１から受信した音声情報および映像情報に基づいて番組を再生する。
【００６９】
また、ＴＶ受像機１３２におけるＩＰ放送受信装置２０２は、同様にデコードした音声情報および映像情報を用いて、自己のＴＶ受像機１３２におけるスピーカモジュールおよびディスプレイモジュールにおいて番組を再生する。
【００７０】
図６は、本発明の実施の形態に係る放送再送信装置の構成を示す図である。
【００７１】
図６を参照して、放送再送信装置１０１は、筐体Ｋ１，Ｋ２と、ＡＳＩ出力コネクタ１と、ＩＰ出力コネクタ２と、ＡＳＩ入力コネクタ３と、ＩＰ出力コネクタ４と、復調部１１と、ＴＬＶ分割部１２と、ＩＰ変換部１３と、ＡＳＩ出力部１４と、ＡＳＩ入力部４１と、ＩＰ変換部４２とを備える。なお、放送再送信装置１０１は、筐体Ｋ２と、ＡＳＩ入力コネクタ３と、ＩＰ出力コネクタ４と、ＡＳＩ入力部４１と、ＩＰ変換部４２とを備えない構成であってもよい。たとえば、筐体Ｋ２と、ＡＳＩ入力コネクタ３と、ＩＰ出力コネクタ４と、ＡＳＩ入力部４１と、ＩＰ変換部４２とが、他の装置として放送再送信装置１０１の外部に設けられる構成であってもよい。
【００７２】
ＡＳＩ出力コネクタ１およびＩＰ出力コネクタ２は、筐体Ｋ１に設けられている。筐体Ｋ１は、復調部１１と、ＴＬＶ分割部１２と、ＩＰ変換部１３と、ＡＳＩ出力部１４とを収容している。
【００７３】
ＡＳＩ入力コネクタ３およびＩＰ出力コネクタ４は、筐体Ｋ２に設けられている。筐体Ｋ２は、ＡＳＩ入力部４１と、ＩＰ変換部４２とを収容している。
【００７４】
復調部１１は、放送波を受信し、受信した放送波に含まれるＴＬＶパケットを取得してＴＬＶ分割部１２へ出力する。
【００７５】
ＴＬＶ分割部１２は、復調部１１から受けた１または複数のＴＬＶパケットのデータを分割して固定長の複数の分割パケット、たとえばＴＳパケットを生成する。なお、ＴＬＶ分割部１２は、分割パケットとして他の形式のパケットを生成する構成であってもよい。
【００７６】
ＩＰ変換部１３は、放送波に含まれるＴＬＶパケットのデータを格納したＩＰパケットを生成して送信する。たとえば、ＩＰ変換部１３は、所定数の上記分割パケットを格納したＩＰパケットを生成して送信する。
【００７７】
より詳細には、ＩＰ変換部１３は、ＴＬＶ分割部１２から受けた分割パケットを格納したＩＰパケットを生成し、ＩＰ出力コネクタ２を介してＩＰＴＶ伝送網等のＩＰ網４０１へ送信する。すなわち、ＩＰ出力コネクタ２は、ＩＰ変換部１３によって生成されたＩＰパケットを筐体Ｋ１の外部へ出力するためのコネクタである。
【００７８】
ＡＳＩ出力部１４は、ＴＬＶ分割部１２から受けた分割パケットを含むＡＳＩ（Ａｓｙｎｃｈｒｏｎｏｕｓ  Ｓｅｒｉａｌ  Ｉｎｔｅｒｆａｃｅ）方式の信号であるＡＳＩ信号を生成し、ＡＳＩ出力コネクタ１を介して記録装置１５１へ送信する。
【００７９】
すなわち、ＡＳＩ出力コネクタ１は、ＴＬＶパケットのデータが分割されて格納された固定長の複数の分割パケットを含むＡＳＩ信号を外部へ出力するためのコネクタである。より詳細には、ＡＳＩ出力コネクタ１は、ＴＬＶ分割部１２によって生成された各ＴＳパケットを含むＡＳＩ信号を筐体Ｋ１の外部へ出力するためのコネクタである。
【００８０】
ＡＳＩ出力コネクタ１は、ＴＳパケット等の分割パケットを処理可能な装置に接続される。すなわち、記録装置１５１は、放送再送信装置１０１から受信したＡＳＩ信号に含まれる分割パケットを取得し、取得した分割パケットを、たとえば所定のファイル形式で記録する。
【００８１】
再生装置１５２は、記録装置１５１によって記録されたファイルを記録媒体等を介して受信し、受信したファイルのデータである分割パケットを取得する。そして、再生装置１５２は、取得した分割パケットを含むＡＳＩ信号を生成し、筐体Ｋ２へ送信する。
【００８２】
なお、ＡＳＩ入力コネクタ３へ入力される分割パケットは、ＡＳＩ出力コネクタ１から出力された分割パケットのうちの一部であってもよい。
【００８３】
また、記録装置１５１および再生装置１５２は、一体化された装置であってもよく、上記ファイルが自動的にやり取りされる構成であってもよい。
【００８４】
ＡＳＩ入力部４１は、ＡＳＩ入力コネクタ３を介して受信したＡＳＩ信号に含まれる分割パケットを取得してＩＰ変換部４２へ出力する。
【００８５】
すなわち、ＡＳＩ入力コネクタ３は、分割パケットを含むＡＳＩ信号を外部から入力するためのコネクタである。より詳細には、ＡＳＩ入力コネクタ３は、固定長の分割パケットを含むＡＳＩ信号を外部から筐体Ｋ２の内部へ入力するためのコネクタである。
【００８６】
ＩＰ変換部４２は、ＡＳＩ入力部４１から受けた分割パケットを格納したＩＰパケットを生成し、ＩＰ出力コネクタ４を介してＩＰ網４０２へ送信する。すなわち、ＩＰ出力コネクタ４は、ＩＰ変換部４２によって生成されたＩＰパケットを筐体Ｋ２の外部へ出力するためのコネクタである。
【００８７】
なお、ＩＰ変換部４２は、ＩＰパケットをＩＰ出力コネクタ４経由でＩＰ網４０１へ送信する構成であってもよい。
【００８８】
また、筐体Ｋ１，Ｋ２は、共通の筐体であってもよい。この場合、放送再送信装置１０１がＩＰ変換部４２を備えず、ＡＳＩ入力部４１から出力される分割パケットをＩＰ変換部１３が受ける構成であってもよい。
【００８９】
また、上述のように筐体Ｋ１，Ｋ２が、別個の装置の筐体である場合、記録装置１５１および再生装置１５２が設けられず、ＡＳＩ出力コネクタ１およびＡＳＩ入力コネクタ３が直接接続される構成であってもよい。
【００９０】
図７は、本発明の実施の形態に係る放送再送信装置において行われるＴＬＶパケットの分割方法の一例を示す図である。
【００９１】
図７には、非特許文献３（”ＪＣＴＥＡ  ＳＴＤ−００２−６．０  デジタル有線テレビジョン放送  多重化装置”、一般社団法人  日本ＣＡＴＶ技術協会）に記載された、ＴＬＶパケットを複数のＴＳパケットに格納する方法が示されている。
【００９２】
図８は、図７に示すＴＳパケットのフォーマットの一例を示す図である。
【００９３】
図７および図８を参照して、ＴＬＶ分割部１２は、ＴＬＶパケットが分割されたデータをそれぞれ含む、所定サイズを有する複数の固定パケットを生成する。ここで、ＴＳパケットは、１８８バイトのサイズを有し、固定パケットの一例である。
【００９４】
再び図６を参照して、上述のように、分割パケットすなわちＴＳパケットを含むＡＳＩ信号が、ＡＳＩ出力コネクタ１を介して記録装置１５１へ送信され、また、記録装置１５１において記録された分割パケットすなわちＴＳパケットが再生装置１５２に与えられる。
【００９５】
これにより、放送再送信装置１０１の保守、たとえば再送信したデータの保存および解析等において、従来のＭＰＥＧ２−ＴＳの技術体系を活用することが可能となる。すなわち、ＴＳパケットを処理可能な装置は広く提供されているところ、記録装置１５１および再生装置１５２としてこのような装置を用いることができるため、低コストかつ容易に測定系を構築することができる。
【００９６】
そして、放送再送信装置１０１がＩＰ網４０１へ送信するＩＰパケットではなく、ＴＬＶパケットのデータが分割されて格納された固定長の分割パケットであるＴＳパケットを放送再送信装置１０１から出力させて記録および再生を行うことにより、ＩＰパケットへのＴＳパケットの格納による影響、および当該ＩＰパケットを受信する汎用のサーバ等における各種オーバヘッドの影響を受けることなく、また、ネットワークにおけるＩＰパケットの伝送時間の揺らぎおよび欠損等の影響を受けることなく、容易にかつ高い時間精度で記録および再生を行うことができる。
【００９７】
したがって、放送再送信装置１０１におけるパケットの処理等を正確に再現することができる。具体的には、放送再送信装置１０１におけるＴＳパケット等のデータの流れ、すなわち、タイミングおよびデータ内容等を正確に再現することができる。これにより、たとえば、異常現象の記録、および異常現象の再生を正確に行うことができるため、異常個所の特定を容易に行うことができる。
【００９８】
また、上述のように、分割パケットすなわちＴＳパケットを含むＡＳＩ信号が、ＡＳＩ入力コネクタ３を介して放送再送信装置１０１へ送信される。
【００９９】
これにより、たとえば、放送再送信装置１０１において生成されたＴＳパケットを格納したＩＰパケットを、ＩＰ網４０１とは異なるネットワークであるＩＰ網４０２へ送信することができるため、放送再送信装置１０１の保守および不具合解析等の作業環境を容易に構築することができる。すなわち、放送契約を結んだ加入者宅に放送サービスを提供するための専用のネットワークに記録装置等の保守装置を接続することなく、比較的各種制限の緩和された他のネットワークを介して放送再送信装置１０１の保守および不具合解析等の作業を行うことができる。
【０１００】
図９は、本発明の実施の形態に係る放送再送信装置の詳細な構成を示す図である。
【０１０１】
図９を参照して、放送再送信装置１０１は、復調部１１と、ＴＬＶ分割部１２と、ＩＰ変換部１３と、ＡＳＩ出力部１４と、高確度発振器１５と、カウンタ１６と、ＮＴＰパケット取得部１７と、換算部１８とを備える。ＴＬＶ分割部１２は、削除部２１と、ＴＳ化部２２とを含む。ＩＰ変換部１３は、ＴＴＳ化部２３と、ブロック化部２４と、ＩＰパケット化部２５と、ＩＰ送信部２６とを含む。
【０１０２】
高確度発振器１５は、たとえば、送信側基準クロックを生成する。より詳細には、高確度発振器１５は、たとえば、ＧＰＳ（Ｇｌｏｂａｌ  Ｐｏｓｉｔｉｏｎｉｎｇ  Ｓｙｓｔｅｍ）衛星から送信される電波に含まれる時刻情報に同期した、２７メガヘルツの高精度なクロックパルスを生成する発振器である。高確度発振器１５は、生成したクロックパルスをカウンタ１６へ出力する。
【０１０３】
なお、高確度発振器１５は、ＯＣＸＯ（Ｏｖｅｎ  Ｃｏｎｔｒｏｌｌｅｄ  Ｏｓｃｉｌｌａｔｏｒ）およびルビジウム発振器等を用いて高精度なクロックパルスを生成する構成であってもよい。
【０１０４】
カウンタ１６は、たとえば、高確度発振器１５において生成された送信側基準クロックのタイミングに従って、送信側カウント値を更新する。
【０１０５】
より詳細には、カウンタ１６は、高確度発振器１５からのクロックパルスをカウントし、カウントした値である送信側カウント値を保持する。
【０１０６】
送信側カウント値は、たとえば、協定世界時を２７メガヘルツの精度で表すことが可能である。
【０１０７】
放送再送信システム３０１における放送波は、たとえば、上述のＴＬＶヌルパケット、番組の情報を含むＴＬＶパケットであるＴＬＶ番組パケット、および協定世界時を用いて装置間における時刻合わせを行うための時刻合わせ情報を含み、かつＭＭＴ方式に従う。ＮＴＰデータは、時刻合わせ情報の一例である。
【０１０８】
復調部１１は、放送波を受信し、受信した放送波を復調することによりＴＬＶヌルパケット、ＴＬＶ番組パケット、および時刻合わせ情報等を含むストリームを生成する。
【０１０９】
より詳細には、復調部１１は、放送波を外部アンテナ８１経由で受信して、受信した放送波を復調することにより、複数のＴＬＶパケットによって構成されるストリームを生成し、ＴＬＶ分割部１２およびＮＴＰパケット取得部１７へ出力する。ストリームでは、たとえば、３３ミリ秒ごとにＮＴＰデータが伝送される。
【０１１０】
ＴＬＶ分割部１２は、復調部１１から受けたストリームに含まれるＴＬＶパケットを分割して固定長の複数の分割パケットを生成する。
【０１１１】
ＮＴＰパケット取得部１７は、復調部１１からストリームを受けて、受けたストリームからＮＴＰデータを含むＩＰパケット（以下、ＮＴＰパケットとも称する。）を取得し、取得したＮＴＰパケットを換算部１８へ出力する。
【０１１２】
換算部１８は、たとえば、放送波に含まれるＮＴＰデータを用いて、カウンタ１６に対して時刻合わせを行う。
【０１１３】
より詳細には、換算部１８は、ＮＴＰパケット取得部１７からＮＴＰパケットを受けて、受けたＮＴＰパケットに含まれるＮＴＰデータからＮＴＰ長形式の協定世界時（Ｃｏｏｒｄｉｎａｔｅｄ  Ｕｎｉｖｅｒｓａｌ  Ｔｉｍｅ：ＵＴＣ）を取得する。
【０１１４】
ＮＴＰ長形式は、秒単位を示す３２ビットのフィールドと、１秒以下を示す３２ビットのフィールドとを有する。
【０１１５】
換算部１８は、ＮＴＰ長形式の協定世界時を送信側カウント値に換算するための式（以下、送信側換算式とも称する。）を保持している。
【０１１６】
送信側カウント値に基づく時刻と協定世界時とのずれは、たとえば、５００ナノ秒程度まで許容可能である。送信側カウント値の１カウントは、約３７ナノ秒に相当するので、送信側カウント値が１０カウント程度ふらついても、許容範囲に収まる。
【０１１７】
たとえば、高確度発振器１５の周波数確度が１ｐｐｍである場合、約３７ミリ秒ごとに送信側カウント値が１カウントずれると考えられるので、ＮＴＰデータ１０個分、すなわち３３０ミリ秒ごとに送信側カウント値を校正すれば、送信側カウント値に基づく時刻を十分な精度で協定世界時に同期させることができる。
【０１１８】
この例では、換算部１８は、ＮＴＰパケット取得部１７からＮＴＰパケットを受けるごとに、すなわち３３ミリ秒ごとに、送信側換算式を用いて協定世界時を送信側カウント値へ変換し、変換後の送信側カウント値をカウンタ１６にセットする。
【０１１９】
ＴＬＶ分割部１２において、削除部２１は、復調部１１によって生成されたストリームからＴＬＶヌルパケットを削除する。
【０１２０】
より詳細には、削除部２１は、復調部１１から受けるストリームを監視し、ＴＬＶヘッダにおけるスタートコードの検出を試みる（図３参照）。
【０１２１】
削除部２１は、スタートコードを検出すると、当該スタートコードの後方のパケットタイプのフィールドに格納された値を確認する。
【０１２２】
削除部２１は、上記フィールドに格納された値が０ｘＦＦである場合、当該スタートコードを含むＴＬＶパケットがＴＬＶヌルパケットであると判断し、ストリームから当該ＴＬＶパケットを削除する。
【０１２３】
一方、削除部２１は、上記フィールドに格納された値が０ｘＦＦ以外の値である場合、当該スタートコードを含むＴＬＶパケットがＴＬＶヌルパケットでないと判断し、当該ＴＬＶパケットをＴＳ化部２２へ出力する。
【０１２４】
図７〜図９を参照して、ＴＳ化部２２は、たとえば、未格納データを保持するためのバッファを有する。ＴＳ化部２２は、たとえば、バッファに未格納データが保存されていない場合において、削除部２１からＴＬＶパケット１（図７参照）を受けると、たとえば、受けたＴＬＶパケット１の先頭から１８４バイトまでのデータを分割データとして取得する。
【０１２５】
ＴＳ化部２２は、取得した分割データに、３バイトのＴＳヘッダ、および、ＴＬＶヘッダが存在する場合には１バイトの先頭ＴＬＶ指示を付加することで、分割データがペイロードに格納されたＴＳパケット（以下、ＴＬＶ格納ＴＳパケットとも称する。）を生成し、生成したＴＬＶ格納ＴＳパケットをＴＴＳ化部２３およびＡＳＩ出力部１４へ出力する。
【０１２６】
同様に、ＴＳ化部２２は、ＴＬＶパケット１の残りのデータの先頭から１８５バイトのデータを分割データとして取得するごとに、ＴＬＶ格納ＴＳパケットを生成してＴＴＳ化部２３およびＡＳＩ出力部１４へ出力する。
【０１２７】
また、ＴＳ化部２２は、取得したデータのサイズが１８５バイトに満たない場合、取得したデータを未格納データとしてバッファに保存する。
【０１２８】
そして、ＴＳ化部２２は、後続のＴＬＶパケット２（図７参照）を削除部２１から受けると、バッファに未格納データが保存されているので、１８４バイトから未格納データのサイズを差し引いたサイズのデータを、ＴＬＶパケット２の先頭から取得する。
【０１２９】
ＴＳ化部２２は、取得したデータの先頭に未格納データを付加し、先頭ＴＬＶ指示およびＴＬＶパケット２のデータを配置して分割データを生成した後、バッファにおける上記未格納データを破棄する。
【０１３０】
ＴＳ化部２２は、生成した分割データにＴＳヘッダを付加してＴＬＶ格納ＴＳパケットを生成し、生成したＴＬＶ格納ＴＳパケットをＴＴＳ化部２３およびＡＳＩ出力部１４へ出力する。
【０１３１】
このように、ＴＳパケットを用いる構成により、ＭＰＥＧ２−ＴＳの技術体系で活用した、ＴＳｏｖｅｒＩＰの記録装置、測定装置および監視装置等を利用することができる。
【０１３２】
図９を参照して、ＩＰ変換部１３は、ＴＬＶ分割部１２から受けたＴＳパケットをＴＴＳパケットに変換し、所定数のＴＴＳパケットを格納したＩＰパケットであってＩＰヘッダ、ＵＤＰヘッダおよびＲＴＰヘッダを含むＩＰパケットを生成してネットワークへ送信する。
【０１３３】
ＩＰ変換部１３において、ＴＴＳ化部２３は、たとえば、ＴＬＶ格納ＴＳパケットの送信タイミングを示す送信時刻情報を当該ＴＬＶ格納ＴＳパケットに付加する。
【０１３４】
詳細には、ＴＴＳ化部２３は、ＴＬＶ格納ＴＳパケットの送信タイミングを送信側カウント値によって示す送信時刻情報を当該ＴＬＶ格納ＴＳパケットに付加する。
【０１３５】
より詳細には、ＴＴＳ化部２３は、ＴＳ化部２２からＴＬＶ格納ＴＳパケットを受けると、カウンタ１６から送信側カウント値を取得し、取得した送信側カウント値を、当該ＴＬＶ格納ＴＳパケットのＴＳヘッダの前にタイムスタンプとして付加する。
【０１３６】
以下、タイムスタンプが付加されたＴＬＶ格納ＴＳパケットを、ＴＬＶ格納ＴＴＳ（Ｔｉｍｅ−ｓｔａｍｐｅｄ  ＴＳ）パケットとも称する。
【０１３７】
タイムスタンプのサイズは、所定の大きさ、たとえば４バイトである。したがって、ＴＬＶ格納ＴＴＳパケットのサイズは、固定長の１９２バイトである。
【０１３８】
ＴＴＳ化部２３は、生成したＴＬＶ格納ＴＴＳパケットをブロック化部２４へ出力する。
【０１３９】
ブロック化部２４は、ＴＴＳ化部２３から受けたＴＬＶ格納ＴＴＳパケットを所定数蓄積する。
【０１４０】
より詳細には、ＭＴＵ（Ｍａｘｉｍｕｍ  Ｔｒａｎｓｆｅｒ  Ｕｎｉｔ）サイズとして、たとえば１５００バイトがよく用いられており、この場合、７つのＴＬＶ格納ＴＴＳパケットを１つのＩＰパケットで一括伝送すると、ＩＰＴＶ伝送網４５１における伝送効率を高めることができる。
【０１４１】
この例では、ブロック化部２４は、７つのＴＬＶ格納ＴＴＳパケットを蓄積した後、これら７つのＴＬＶ格納ＴＴＳパケットを１つのブロックデータとしてＩＰパケット化部２５へ出力する。ＴＴＳパケットが格納される構成により、複数のＴＳパケットを１つのＩＰパケットに格納しても、ＩＰパケットの受信側において各ＴＳパケットのタイミングを容易に認識することができる。
【０１４２】
なお、ブロック化部２４は、ブロックデータに基づいて、たとえば、ＳＭＰＴＥ  ２０２２規格（ｐｒｏ  ＭＰＥＧ  ＣＯＰ３）に従って、前方誤り訂正用のＦＥＣ（Ｆｏｒｗａｒｄ  Ｅｒｒｏｒ  Ｃｏｒｒｅｃｔｉｏｎ）パケットを追加のブロックデータとして追加するＦＥＣ処理を行ってもよい。
【０１４３】
ＩＰパケット化部２５は、ブロック化部２４からブロックデータを受けると、受けたブロックデータに、たとえば、ＲＴＰ（Ｒｅａｌ−ｔｉｍｅ  Ｔｒａｎｓｐｏｒｔ  Ｐｒｏｔｏｃｏｌ）ヘッダ、ＵＤＰ（Ｕｓｅｒ  Ｄａｔａｇｒａｍ  Ｐｒｏｔｏｃｏｌ）ヘッダおよびＩＰヘッダを付加することによりＩＰパケットすなわち配信用ＩＰパケットを生成する。
【０１４４】
ＩＰヘッダにおける宛先のＩＰマルチキャストアドレス、およびＵＤＰヘッダにおける宛先ポート番号は、事業者において任意の値を設定することが可能である。ＩＰパケット化部２５は、生成した配信用ＩＰパケットをＩＰ送信部２６へ出力する。
【０１４５】
ＩＰ送信部２６は、削除部２１によってＴＬＶヌルパケットが削除されたストリームをＩＰＴＶ伝送網４５１経由でＩＰ放送受信装置２０２へ送信する。より詳細には、ＩＰ送信部２６は、ＩＰパケット化部２５から受けた配信用ＩＰパケットをルータ１２１へ送信する。
【０１４６】
［動作の流れ］
放送再送信システム３０１における各装置は、コンピュータを備え、当該コンピュータにおけるＣＰＵ等の演算処理部は、以下のシーケンス図またはフローチャートの各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１４７】
図１０は、本発明の実施の形態に係る放送再送信システムにおける放送再送信装置が放送波を再送信する際の動作手順を定めたフローチャートである。
【０１４８】
図１０を参照して、まず、放送再送信装置１０１は、放送波を受信し、受信した放送波に含まれる可変長のＴＬＶパケットを取得する（ステップＳ１）。
【０１４９】
次に、放送再送信装置１０１は、取得したＴＬＶパケットを分割して固定長の複数の分割パケットを生成する。すなわち、放送再送信装置１０１は、放送波に含まれる１または複数のＴＬＶパケットのデータを分割して格納した固定長の複数の分割パケットを生成する（ステップＳ２）。
【０１５０】
次に、放送再送信装置１０１は、生成した各分割パケットを含むＡＳＩ信号を生成し、ＡＳＩ出力コネクタ１を介して記録装置１５１へ送信する（ステップＳ３）。
【０１５１】
次に、放送再送信装置１０１は、ＴＬＶパケットのデータを格納したＩＰパケットを生成して送信する。より詳細には、放送再送信装置１０１は、生成した所定数の分割パケットを格納したＩＰパケットを生成し（ステップＳ４）、ＩＰ出力コネクタ２を介してＩＰ網４０１へ送信する（ステップＳ５）。
【０１５２】
なお、ステップＳ３の動作とステップＳ４，Ｓ５の動作とは、逆の順番で行われてもよいし、並行して行われてもよい。
【０１５３】
図１１は、本発明の実施の形態に係る放送再送信システムにおけるモニタ処理の動作手順を定めたフローチャートである。
【０１５４】
図１１を参照して、まず、放送再送信装置１０１は、ＴＬＶパケットのデータが分割されて格納された固定長の複数の分割パケットを含むＡＳＩ信号を生成し、外部へ出力する。より詳細には、放送再送信装置１０１は、生成したＡＳＩ信号をＡＳＩ出力コネクタ１を介して記録装置１５１へ送信する（ステップＳ１１）。
【０１５５】
次に、記録装置１５１は、放送再送信装置１０１から受信したＡＳＩ信号に含まれる分割パケットを取得し、取得した分割パケットを、たとえば所定のファイル形式で記録する（ステップＳ１２）。
【０１５６】
次に、再生装置１５２は、記録装置１５１から取得した１または複数の分割パケットを含むＡＳＩ信号を生成し、他の装置へ入力する、すなわち、放送再送信装置１０１等の対象装置へ送信する。
【０１５７】
次に、入力したＡＳＩ信号に含まれる分割パケットを格納したＩＰパケットを生成して当該他の装置から送信する。より詳細には、対象装置は、再生装置１５２から受信した分割パケットを格納したＩＰパケットを生成し（ステップＳ１５）、放送再送信装置１０１におけるＩＰ変換部１３によるＩＰパケットの送信先となるネットワークとは異なる他のネットワークへ送信する（ステップＳ１６）。具体的には、ＩＰ変換部４２は、再生装置１５２から受信した分割パケットを格納したＩＰパケットを生成し（ステップＳ１５）、ＩＰ出力コネクタ４を介してＩＰ網４０２へ送信する（ステップＳ１６）。
【０１５８】
なお、本発明の実施の形態に係る放送再送信装置では、ＡＳＩ出力コネクタ１は、ＴＬＶ分割部１２によって生成された分割パケットを含むＡＳＩ信号を筐体Ｋ１の外部へ出力するためのコネクタであるであるとしたが、これに限定するものではない。放送再送信装置１０１において、ＴＬＶパケットを分割して固定長の複数の分割パケットを生成する分割部が別途設けられ、当該分割部によって生成された分割パケットを含むＡＳＩ信号がＡＳＩ出力コネクタ１から筐体Ｋ１の外部へ出力される構成であってもよい。また、ＡＳＩ出力コネクタ１から出力される分割パケットの形式は、ＩＰ変換部１３がＴＬＶ分割部１２から受ける分割パケットの形式と異なってもよい。
【０１５９】
また、本発明の実施の形態に係る放送再送信装置では、ＩＰ変換部１３は、所定数の分割パケットを格納したＩＰパケットを生成して送信する構成であるとしたが、これに限定するものではない。ＩＰパケットに格納される分割パケットの数は、所定数に限らず、何らかの条件に応じて決定される数であってもよい。
【０１６０】
また、本発明の実施の形態に係る放送再送信装置は、削除部２１を備える構成であるとしたが、これに限定するものではない。放送再送信装置１０１は、削除部２１を備えず、ＴＬＶヌルパケットを削除しない構成であってもよい。
【０１６１】
また、本発明の実施の形態に係る放送再送信装置は、復調部１１を備える構成であるとしたが、これに限定するものではない。復調部１１が放送再送信装置１０１の外部に設けられ、放送再送信装置１０１は、上記ストリームを外部の復調部１１から取得する取得部を備える構成であってもよい。
【０１６２】
また、本発明の実施の形態に係る放送再送信装置は、ＴＬＶ格納ＴＳパケットにタイムスタンプを付加する構成であるとしたが、これに限定するものではない。放送再送信装置１０１は、ＴＬＶ格納ＴＳパケットにタイムスタンプを付加せずにＩＰパケットに含めて送信する構成であってもよい。
【０１６３】
また、本発明の実施の形態に係る放送再送信装置は、２７メガヘルツの高確度発振器１５と、カウンタ１６との組を備える構成であるとしたが、これに限定するものではない。放送再送信装置１０１は、２７メガヘルツ以外の周波数のクロックパルスを生成する発振器、たとえば、非特許文献１に記載の２＾ｎヘルツＶＣＯ等と、カウンタとの組を備える構成であってもよい。ここで、「ａ＾ｂ」は、ｙのｘ乗を意味する。しかしながら、２＾ｎヘルツＶＣＯと、対応のカウンタとの組を搭載する放送再送信装置はあまり流通していない一方で、２７メガヘルツの発振器と、カウンタ１６との組は、ＭＰＥＧ２−ＴＳ方式用にモジュール化されて広く流通している。このため、２７メガヘルツの高確度発振器１５と、カウンタ１６との組を備える構成が好ましい。
【０１６４】
また、本発明の実施の形態に係る放送再送信装置では、高確度発振器１５は、ＧＰＳ衛星から送信される電波に含まれる時刻情報に同期する構成であるとしたが、これに限定するものではない。高確度発振器１５は、ＮＴＰパケットを用いて、協定世界時と送信側カウント値との差を高確度発振器１５にフィードバックすることにより、高確度発振器１５を２７メガヘルツに同期させる構成であってもよい。このフィードバックには、たとえば、アナログＰＬＬ（Ｐｈａｓｅ  Ｌｏｃｋｅｄ  Ｌｏｏｐ）回路および各種デジタルクロック・シンセサイザの制御等を用いる。
【０１６５】
ところで、たとえば、高度広帯域衛星デジタル放送を、ＩＰＴＶ伝送網を介して加入者宅へ送信するＩＰ再送信サービスを行う場合、ＭＭＴパケットを含む放送波を受信し、受信したＭＭＴパケットをＩＰパケットに格納して加入者宅における宅内装置へ再送信する構成が考えられる。
【０１６６】
このような装置の保守、たとえば再送信したデータの保存および解析等を行う場合、当該装置が送信したＩＰパケットを汎用のサーバ等で受信して保存し、ＩＰパケットに含まれるデータを再生して解析等を行う方法が考えられる。
【０１６７】
しかしながら、このような処理にはハードディスクからのデータの読み出し等の各種オーバヘッドが含まれ、たとえば読み出し等に要する時間が一定しない場合があり、このような場合、放送再送信装置におけるパケットの処理等を正確に再現することが困難となる。
【０１６８】
具体的には、たとえば、再生したＩＰパケットに数マイクロ秒の単位でジッタが生じる場合がある。また、放送再送信装置において、ネットワークへの送信データ量を減らすためにストリームに含まれるヌルパケットを削除する場合、ストリームの伝送レートに変動が生じることになり、放送再送信装置の動作の再現はさらに困難となる。
【０１６９】
これに対して、本発明の実施の形態に係る放送再送信装置では、ＩＰ変換部１３は、放送波に含まれるＴＬＶパケットのデータを格納したＩＰパケットを生成して送信する。そして、ＡＳＩ出力コネクタ１は、ＴＬＶパケットのデータが分割されて格納された固定長の複数の分割パケットを含むＡＳＩ信号を外部へ出力するためのコネクタである。
【０１７０】
このように、放送波に含まれる可変長のＴＬＶパケットのデータを格納したＩＰパケットを生成して送信する装置において、ＴＬＶパケットのデータを分割した固定長の分割パケットを含むＡＳＩ信号を外部へ出力するためのＡＳＩ出力コネクタを設ける構成により、放送再送信装置１０１の保守、たとえば再送信したデータの保存および解析等において、広く提供されている装置、たとえば、ＡＳＩ方式の信号のキャプチャ装置に適応した形式のデータを外部へ出力することができる。
【０１７１】
これにより、低コストかつ容易に測定系を構築することができる。そして、放送再送信装置１０１がネットワークへ送信するＩＰパケットではなく、ＴＬＶパケットのデータが分割されて格納された固定長の分割パケットを放送再送信装置１０１から出力させて記録および再生等を行うことにより、ＩＰパケットへの分割パケットの格納による影響、および当該ＩＰパケットを受信する汎用のサーバ等における各種オーバヘッドの影響を受けることなく、また、ネットワークにおけるＩＰパケットの伝送時間の揺らぎおよび欠損等の影響を受けることなく、容易にかつ高い時間精度で記録および再生を行うことができる。これにより、たとえば、異常現象の記録、および異常現象の再生を正確に行うことができるため、異常個所の特定を容易に行うことができる。
【０１７２】
したがって、本発明の実施の形態に係る放送再送信装置では、番組の情報を含む放送波を受信して他の装置へ再送信する構成において、保守性を向上させることができる。
【０１７３】
また、本発明の実施の形態に係る放送再送信装置では、ＩＰ変換部１３は、上記分割パケットを格納したＩＰパケットを生成して送信する。
【０１７４】
このように、ＩＰ変換部１３に与えられる分割パケットと同じ分割パケットを含むＡＳＩ信号がＡＳＩ出力コネクタ１から外部へ出力される構成により、ＴＬＶパケットから分割パケットを生成する分割部を別途設ける必要がなくなり、また、放送再送信装置１０１においてＩＰパケットに格納される分割パケットを、記録したり再生したりすることが可能となるため、保守性をより向上させることができる。
【０１７５】
また、本発明の実施の形態に係る放送再送信装置では、ＡＳＩ入力コネクタ３は、上記分割パケットを含むＡＳＩ信号を外部から入力するためのコネクタである。
【０１７６】
このような構成により、たとえば、放送再送信装置１０１がネットワークへ送信するＩＰパケットと同じ内容のＩＰパケットを、放送再送信装置１０１によるＩＰパケットの送信先のネットワークとは異なるネットワークへ送信することができるため、放送再送信装置１０１の保守および不具合解析等の作業環境を容易に構築することができる。たとえば、放送契約を結んだ加入者宅に放送サービスを提供するための専用のネットワークに記録装置等の保守装置を接続することなく、比較的各種制限の緩和された他のネットワークを介して放送再送信装置１０１の保守および不具合解析等の作業を行うことができる。
【０１７７】
また、本発明の実施の形態に係る放送再送信方法では、まず、放送波に含まれるＴＬＶパケットのデータを分割して格納した固定長の複数の分割パケットを生成する。次に、生成した各分割パケットを含むＡＳＩ信号を外部へ出力する。次に、ＴＬＶパケットのデータを格納したＩＰパケットを生成して送信する。
【０１７８】
このように、放送波に含まれる可変長のＴＬＶパケットのデータを格納したＩＰパケットを生成して送信する装置において、ＴＬＶパケットのデータを分割した固定長の分割パケットを含むＡＳＩ信号を外部へ出力することにより、放送再送信装置１０１の保守、たとえば再送信したデータの保存および解析等において、広く提供されている装置、たとえば、ＡＳＩ方式の信号のキャプチャ装置に適応した形式のデータを外部へ出力することができる。
【０１７９】
これにより、低コストかつ容易に測定系を構築することができる。そして、放送再送信装置１０１がネットワークへ送信するＩＰパケットではなく、ＴＬＶパケットのデータが分割されて格納された固定長の分割パケットを放送再送信装置１０１から出力させて記録および再生等を行うことにより、ＩＰパケットへの分割パケットの格納による影響、および当該ＩＰパケットを受信する汎用のサーバ等における各種オーバヘッドの影響を受けることなく、また、ネットワークにおけるＩＰパケットの伝送時間の揺らぎおよび欠損等の影響を受けることなく、容易にかつ高い時間精度で記録および再生を行うことができる。これにより、たとえば、異常現象の記録、および異常現象の再生を正確に行うことができるため、異常個所の特定を容易に行うことができる。
【０１８０】
したがって、本発明の実施の形態に係る放送再送信方法では、番組の情報を含む放送波を受信して他の装置へ再送信する構成において、保守性を向上させることができる。
【０１８１】
また、本発明の実施の形態に係るモニタ方法では、まず、高度広帯域衛星デジタル放送に用いられ、放送波に含まれるＴＬＶパケットのデータを格納したＩＰパケットを生成して送信する放送再送信装置１０１から、ＴＬＶパケットのデータが分割されて格納された固定長の複数の分割パケットを含むＡＳＩ信号を外部へ出力する。次に、出力したＡＳＩ信号から取得した１または複数の分割パケットを含むＡＳＩ信号を生成して他の装置へ入力する。次に、入力したＡＳＩ信号に含まれる分割パケットを格納したＩＰパケットを生成して当該他の装置から送信する。
【０１８２】
このように、放送波に含まれる可変長のＴＬＶパケットのデータを格納したＩＰパケットを生成して送信する装置において、ＴＬＶパケットのデータを分割した固定長の分割パケットを含むＡＳＩ信号を外部へ出力することにより、放送再送信装置１０１の保守、たとえば再送信したデータの保存および解析等において、広く提供されている装置、たとえば、ＡＳＩ方式の信号のキャプチャ装置に適応した形式のデータを外部へ出力することができる。
【０１８３】
これにより、低コストかつ容易に測定系を構築することができる。そして、放送再送信装置１０１がネットワークへ送信するＩＰパケットではなく、ＴＬＶパケットのデータが分割されて格納された固定長の分割パケットを放送再送信装置１０１から出力させて記録および再生等を行うことにより、ＩＰパケットへの分割パケットの格納による影響、および当該ＩＰパケットを受信する汎用のサーバ等における各種オーバヘッドの影響を受けることなく、また、ネットワークにおけるＩＰパケットの伝送時間の揺らぎおよび欠損等の影響を受けることなく、容易にかつ高い時間精度で記録および再生を行うことができる。これにより、たとえば、異常現象の記録、および異常現象の再生を正確に行うことができるため、異常個所の特定を容易に行うことができる。
【０１８４】
また、たとえば、放送再送信装置１０１がネットワークへ送信するＩＰパケットと同じ内容のＩＰパケットを、放送再送信装置１０１によるＩＰパケットの送信先のネットワークとは異なるネットワークへ送信することができるため、放送再送信装置１０１の保守および不具合解析等の作業環境を容易に構築することができる。たとえば、放送契約を結んだ加入者宅に放送サービスを提供するための専用のネットワークに記録装置等の保守装置を接続することなく、比較的各種制限の緩和された他のネットワークを介して放送再送信装置１０１の保守および不具合解析等の作業を行うことができる。
【０１８５】
したがって、本発明の実施の形態に係るモニタ方法では、番組の情報を含む放送波を受信して他の装置へ再送信する構成において、保守性を向上させることができる。
【０１８６】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０１８７】
以上の説明は、以下に付記する特徴を含む。
［付記１］
高度広帯域衛星デジタル放送に用いられる放送再送信装置であって、
放送波に含まれるＴＬＶ（Ｔｙｐｅ  Ｌｅｎｇｔｈ  Ｖａｌｕｅ）パケットのデータを格納したＩＰパケットを生成して送信するＩＰ変換部と、
前記ＴＬＶパケットのデータが分割されて格納された固定長の複数の分割パケットを含むＡＳＩ（Ａｓｙｎｃｈｒｏｎｏｕｓ  Ｓｅｒｉａｌ  Ｉｎｔｅｒｆａｃｅ）方式の信号を外部へ出力するためのＡＳＩ出力コネクタとを備え、
前記ＴＬＶパケットは可変長であり、
前記放送再送信装置は、さらに、
１または複数の前記ＴＬＶパケットのデータを分割して固定長の複数のＴＳパケットを生成するＴＬＶ分割部を備え、
前記ＡＳＩ出力コネクタは、前記ＴＬＶ分割部によって生成された各前記ＴＳパケットを含むＡＳＩ方式の信号を外部へ出力するためのコネクタであり、
前記ＩＰ変換部は、前記ＴＬＶ分割部から受けたＴＳパケットをＴＴＳパケットに変換し、所定数の前記ＴＴＳパケットを格納したＩＰパケットであってＩＰヘッダ、ＵＤＰヘッダおよびＲＴＰヘッダを含むＩＰパケットを生成してネットワークへ送信し、
前記ＡＳＩ出力コネクタは、ＴＳパケットを処理可能な装置に接続される、放送再送信装置。
【符号の説明】
【０１８８】
１  ＡＳＩ出力コネクタ
２  ＩＰ出力コネクタ
３  ＡＳＩ入力コネクタ
４  ＩＰ出力コネクタ
１１  復調部
１２  ＴＬＶ分割部
１３  ＩＰ変換部
１４  ＡＳＩ出力部
１５  高確度発振器
１６  カウンタ
１７  ＮＴＰパケット取得部
１８  換算部
２１  削除部
２２  ＴＳ化部
２３  ＴＴＳ化部
２４  ブロック化部
２５  ＩＰパケット化部
２６  ＩＰ送信部
４１  ＡＳＩ入力部
４２  ＩＰ変換部
１０１  放送再送信装置
２０２  ＩＰ放送受信装置
３０１  放送再送信システム
Ｋ１，Ｋ２  筐体
【図１】
2019087958.tif 000003
【図２】
2019087958.tif 000004
【図３】
2019087958.tif 000005
【図４】
2019087958.tif 000006
【図５】
2019087958.tif 000007
【図６】
2019087958.tif 000008
【図７】
2019087958.tif 000009
【図８】
2019087958.tif 000010
【図９】
2019087958.tif 000011
【図１０】
2019087958.tif 000012
【図１１】
2019087958.tif 000013